(57)【要約】【課題】  弾性ニット帽の製造方法の提供。【解決手段】  原料糸５０％以上の中に弾性糸５０％以下を加え、紡糸し、更に紡糸を編成して設定寸法より大きい帽子胚を形成し、蒸気を吹きつけるか或いはその他の熱源で帽子胚を加熱し、帽子胚を収縮させて所定の寸法となし、最後にソーイング及びフォーミングする。以上の製造方法によると、紡糸中に弾性糸が加えられたことで、蒸気或いはその他の熱源による加熱により収縮し、これにより製造された帽子が大きな弾性寸法範囲を具備し、異なる寸法の頭囲に対応する。【選択図】        図１
2005336658.tif 000002
【特許請求の範囲】
【請求項１】
弾性ニット帽の製造方法において、
（ａ）全体の材料重量の５０％以上の原料糸に全体の材料重量の５０％以下の弾性糸１ｂを加え、紡糸を形成するステップ、
（ｂ）更に紡糸を編成して設定寸法より大きい帽子胚を形成するステップ、
（ｃ）蒸気を吹きつけるか或いはその他の熱源で帽子胚を加熱し、帽子胚を収縮させて所定の寸法となすステップ、
（ｄ）最後にソーイング及びフォーミングしてニット帽を完成するステップ、
以上のステップを具えたことを特徴とする、弾性ニット帽の製造方法。
【請求項２】
請求項１記載の弾性ニット帽の製造方法において、原料糸が合成繊維とされたことを特徴とする、弾性ニット帽の製造方法。
【請求項３】
請求項１記載の弾性ニット帽の製造方法において、原料糸が動物繊維とされたことを特徴とする、弾性ニット帽の製造方法。
【請求項４】
請求項１記載の弾性ニット帽の製造方法において、原料糸が天然繊維とされたことを特徴とする、弾性ニット帽の製造方法。
【発明の詳細な説明】
【技術分野】
【０００１】
本発明は一種の弾性ニット帽の製造方法に係り、弾性糸で上下左右のいずれにも弾性を有する帽子胚を形成し、更に蒸気吹きつけによりそれを所定寸法まで収縮させ、これにより製造した帽子に大きな弾性寸法範囲を具備させ、異なる寸法の頭囲に対応できるようにする弾性ニット帽の製造方法に関する。
【背景技術】
【０００２】
一般に日よけ用の帽子は布で製造され、布で製造された帽子の表現できる質感は有限であり、且つ布で製造された帽子は縫製線を有するため、帽子の全体外観に影響が生じる。縫製線のない表現方式を求める場合は、ニット方式を採用することで、縫製線のない帽子を製造できる。
【０００３】
ニット帽はほぼ弾性を具備せず、各人の頭囲寸法はそれぞれ異なるため、各種形式の帽子を数種類の異なる寸法規格で製造しなければ消費者の需要に対応することはできない。しかし各帽子の寸法規格は固定寸法であり、弾性範囲を有さず、各人の頭囲は完全には同じではないため、同じ寸法番号の帽子を着用しても、着用して快適でなかったり寸法が合わずに見た目が悪くなることがあり、使用者の選択購入時の問題と不便を形成した。
【０００４】
さらに周知のニット帽は弾性がなく、洗濯後に縮みを発生しやすく、このためもともとフィットした帽子であっても洗濯後にはフィットしなくなる場合がある。また、ある期間着用すると弛みを発生しやすく、帽子全体の見た目が悪くなり、このためニット帽の質感が下がることがある。
【発明の開示】
【発明が解決しようとする課題】
【０００５】
本発明は周知のニット帽の上述の欠点を鑑み、それを改善する一種の弾性ニット帽の製造方法を提供するものである。ゆえに、本発明の主要な目的は、一種の弾性ニット帽の製造方法を提供することにあり、それは、弾性糸で製造した帽子胚を形成し、その後、蒸気吹きつけによりそれを所定寸法に収縮させ、これにより製造した帽子に大きな弾性寸法範囲を具備させて異なる寸法の頭囲に対応できるようにする弾性ニット帽の製造方法であるものとする。
【課題を解決するための手段】
【０００６】
請求項１の発明は、弾性ニット帽の製造方法において、
（ａ）全体の材料重量の５０％以上の原料糸に全体の材料重量の５０％以下の弾性糸１ｂを加え、紡糸を形成するステップ、
（ｂ）更に紡糸を編成して設定寸法より大きい帽子胚を形成するステップ、
（ｃ）蒸気を吹きつけるか或いはその他の熱源で帽子胚を加熱し、帽子胚を収縮させて所定の寸法となすステップ、
（ｄ）最後にソーイング及びフォーミングしてニット帽を完成するステップ、
以上のステップを具えたことを特徴とする、弾性ニット帽の製造方法としている。
請求項２の発明は、請求項１記載の弾性ニット帽の製造方法において、原料糸が合成繊維とされたことを特徴とする、弾性ニット帽の製造方法としている。
請求項３の発明は、請求項１記載の弾性ニット帽の製造方法において、原料糸が動物繊維とされたことを特徴とする、弾性ニット帽の製造方法としている。
請求項４の発明は、請求項１記載の弾性ニット帽の製造方法において、原料糸が天然繊維とされたことを特徴とする、弾性ニット帽の製造方法としている。
【発明の効果】
【０００７】
本発明弾性ニット帽の製造方法によると、弾性糸で製造した帽子胚を形成し、その後、蒸気吹きつけによりそれを所定寸法に収縮させ、これにより製造した帽子に大きな弾性寸法範囲を具備させて異なる寸法の頭囲に対応できるようにすることができる。
【発明を実施するための最良の形態】
【０００８】
本発明によると、原料糸５０％以上の中に弾性糸５０％以下を加え、紡糸し、更に紡糸を編成して設定寸法より大きい帽子胚を形成し、蒸気を吹きつけるか或いはその他の熱源で帽子胚を加熱し、帽子胚を収縮させて所定の寸法となし、最後にソーイング及びフォーミングする。以上の製造方法によると、紡糸中に弾性糸が加えられたことで、蒸気或いはその他の熱源による加熱により収縮し、これにより製造された帽子が上下左右のいずれの方向においても弾性を具備し、且つ大きな弾性寸法範囲を具備し、異なる寸法の頭囲に対応する。
【実施例１】
【０００９】
図１に示されるように本発明の製造方法は以下のステップで構成されている。
（ａ）原料糸１ａ（５０％以上）の中に弾性糸１ｂ（５０％以下）を加え、紡糸１を形成する。
（ｂ）更に紡糸１を編成して設定寸法より大きい帽子胚２を形成する。これは図２に示されるとおりである。
（ｃ）蒸気を吹きつけるか或いはその他の熱源で帽子胚２を加熱し、帽子胚２を収縮させて所定の寸法となす。これは図３に示されるとおりである。
（ｄ）最後にソーイング及びフォーミングしてニット帽３を完成する。これは図４に示されるとおりである。
【００１０】
以上の製造方法によると、帽子胚２を編成する時、先ず帽子胚２を規格寸法より大きく編成し、この編成した帽子胚２の紡糸１が弾性糸１ｂを含有することにより、帽子胚２を蒸気吹きつけ或いはその他の熱源で加熱することで、帽子胚２を規格寸法まで収縮させ、更にソーイングとフォーミングによりニット帽３を完成する。
【００１１】
紡糸１中に含有される弾性糸１ｂにより、帽子胚２に加熱後に弾性を具備させることができ、これにより大きな弾性寸法範囲を具備させることができ（上下左右にいずれも弾性を具備する）、異なる寸法の頭囲の要求に対応し、これにより周知の帽子における弾性がなく着用して快適でないという欠点を解決することができ、ゆえに本発明のニット帽３は良好な使用効果を有する。
【００１２】
更に、弾性糸１ｂを含有する紡糸１を編成してなるニット帽３は弾性を具備し、水洗後に水で縮む現象が発生しても、ニット帽３が弾性により着用時に伸びるため、ニット帽３を使用者の頭部に着用することができ、良好な使用効果を有する。
【００１３】
またニット帽３は弾性糸１ｂを含有するため、弾性を有し、ニット帽３は弾性により全体が伸縮可能で、たるみの現象を発生せず、ゆえにある期間使用しても、緊密で整った外観を保持でき、良好な使用効果を有する。
【００１４】
また、原料糸１ａは例えば、合成繊維、動物繊維或いは天然繊維を使用でき、いずれも上述の効果を達成できる。このため本発明の原料糸１ａの材料の選択に制限はない。
【００１５】
また、ニット帽３は各種の異なる形態に設計可能で、消費者の使用要求に応じて各種の異なる形態とできる。
【００１６】
総合すると、本発明の方法は従来にはなく、且つ確実に上述の効果を達成でき、特許の要件を具備している。
【図面の簡単な説明】
【００１７】
【図１】本発明の製造フローチャートである。
【図２】本発明の帽子胚の立体図である。
【図３】本発明の帽子胚に蒸気吹きつけを行なう状態の立体図である。
【図４】本発明のニット帽の立体図である。
【符号の説明】
【００１８】
１  紡糸
１ａ  原料糸
１ｂ  弾性糸
２  帽子胚
３  ニット帽
【図１】
2005336658.tif 000003
【図２】
2005336658.tif 000004
【図３】
2005336658.tif 000005
【図４】
2005336658.tif 000006